(57)【要約】      （修正有）【課題】開閉時に、直接宝石類には触れることがなくて宝石類を汚したり、取付け手段から外れてしまうことのない中折れ式イヤリングを提供する。【解決手段】左右一対の装飾本体１２にそれぞれ取付脚部１３、１４と取付基部１５とを形成して、一対の取付脚部と取付基部とを軸着し、一対の装飾本体間を開閉可能に連結してなる中折れ式イヤリングであって、一対の装飾本体のいずれか一方の先端には耳たぶへ挿通するためのピン２１を突設するとともに、一対の装飾本体にはその両者を閉鎖状に保持する閉鎖手段を配設してあり、一対の装飾本体の双方ないしいずれか一方の外面の下部に、ダイヤを含む宝石３１をキュレット部とクラウン部との２点で係合して装着し、かつそのテーブル面が中折れ式イヤリングの正面を向くようにした。【選択図】図７
0003224737.tif 000002
【実用新案登録請求の範囲】
【請求項１】
左右一対の装飾本体にそれぞれ取付脚部と取付基部とを形成して、前記一対の取付脚部と取付基部とを軸着し、前記一対の装飾本体間を開閉可能に連結してなる中折れ式イヤリングであって、
前記一対の装飾本体のいずれか一方の先端には耳たぶへ挿通するためのピンを突設するとともに、前記一対の装飾本体にはその両者を閉鎖状に保持する閉鎖手段を配設してあり、
前記一対の装飾本体の双方ないしいずれか一方の外面の下部に、ダイヤを含む宝石をキュレット部とクラウン部および／またはテーブル部との２点で係合して装着し、かつそのテーブル面が中折れ式イヤリングの正面を向くようにしたことを特徴とする中折れ式イヤリング。
【請求項２】
前記一対の装飾本体の双方ないしいずれか一方の外面の下部にキュレット部とクラウン部および／またはテーブル部との２点で係合して装着した宝石が、その側面のパビリオン部を前記装飾本体の下部側面に収納する形態で前記装飾本体に取り付けてあることを特徴とする請求項１に記載の中折れ式イヤリング。
【請求項３】
前記一対の装飾本体の双方ないしいずれか一方の外面の下部にキュレット部とクラウン部および／またはテーブル部との２点で係合して装着した宝石が、前記一対の装飾本体を構成する各装飾本体の外径の１／４以上の範囲において、その側面のパビリオン部を前記装飾本体の下部側面に収納したことを特徴とする請求項２に記載の中折れ式イヤリング。
【請求項４】
前記一対の装飾本体の両者を閉鎖状に保持する閉鎖手段が、一方の装飾本体に取り付けた耳たぶへ挿通するためのピンに設けた切欠きと、他方の装飾本体端部に形成したピン挿通部に突設した係合突起とからなることを特徴とする請求項１ないし３のいずれかに記載の中折れ式イヤリング。
【考案の詳細な説明】
【技術分野】
【０００１】
この考案は新規な中折れ式イヤリングに関するものである。
【背景技術】
【０００２】
従来の中折れ式イヤリングとしては、一対の円弧状パーツをその一端を軸着して開閉自在とし、その一端に耳たぶに挿通するピンを取り付けた上、ピンの先端に設けた係合溝と、他端に設けた係合突起とを係合して抜け止めするようになったものが一般的である。
その際、円弧状パーツに宝石類を取り付けることも行われているが、その取付位置は前記円弧状パーツのほぼ中央であり、４本以上の爪を利用した爪止めや、伏せ込み、彫り止め等の手段で固定されていた。
【０００３】
他方、ブローチ等への宝石の取付け方として、いわゆる１点留めが知られている。これは、特開平９−２８４２７号公報（特許文献１参照）や特開平３−１１２５０２号公報（特許文献２参照）のものが知られている。
すなわち、ファセットカットされた宝石のキュレット近傍を支持座で支持した上、クラウンおよびテーブルに１つの爪部を当接させて支持するようにしたものである。
【先行技術文献】
【特許文献】
【０００４】
【特許文献１】特開平９−２８４２７号公報
【特許文献２】特開平３−１１２５０２号公報
【考案の概要】
【考案が解決しようとする課題】
【０００５】
しかしながら、中折れ式イヤリングの円弧状パーツのほぼ中央に宝石類を取り付けた場合、４本以上の爪を利用した爪止めや、伏せ込み、彫り止め等の手段で固定されていた。
その上、中折れ式イヤリングの円弧状パーツの幅に制限を受けるためにあまり大きなサイズの宝石類を取り付けることはできず、しかも中折れ式イヤリングの一対の円弧状パーツを軸着位置を中心に開閉しようとして円弧状パーツを持った際に宝石類にも触れてしまって宝石類を汚したり、前記取付け手段から外れてしまうという問題があった。
【０００６】
この考案は大きなサイズの宝石類も取り付けることができ、さらに一対の円弧状パーツを軸着位置を回転中心にして開閉しようとして円弧状パーツを持とうとする際に、直接宝石類には触れることがなくて宝石類を汚したり、前記取付け手段から外れてしまうことのない中折れ式イヤリングを提供しようとするものである。
【課題を解決するための手段】
【０００７】
すなわち本考案の中折れ式イヤリングは従来例の以上の問題点を解消しようとするものであり、左右一対の装飾本体にそれぞれ取付脚部と取付基部とを形成して、前記一対の取付脚部と取付基部とを軸着し、前記一対の装飾本体間を開閉可能に連結してなる中折れ式イヤリングであって、
前記一対の装飾本体のいずれか一方の先端には耳たぶへ挿通するためのピンを突設するとともに、前記一対の装飾本体にはその両者を閉鎖状に保持する閉鎖手段を配設してあり、
前記一対の装飾本体の双方ないしいずれか一方の外面の下部に、ダイヤを含む宝石をキュレット部とクラウン部との２点で係合して装着し、かつそのテーブル面が中折れ式イヤリングの正面を向くようにしたことを特徴とするものである。
【０００８】
本考案の中折れ式イヤリングにおいて、前記一対の装飾本体の双方ないしいずれか一方の外面の下部にキュレット部とクラウン部との２点で係合して装着した宝石が、その側面のパビリオン部を前記装飾本体の下部側面に収納する形態で前記装飾本体に取り付けてあることをも特徴とするものである。
【０００９】
本考案の中折れ式イヤリングにおいて、前記一対の装飾本体の双方ないしいずれか一方の外面の下部にキュレット部とクラウン部との２点で係合して装着した宝石が、前記一対の装飾本体を構成する各装飾本体の外径の１／４以上の範囲において、その側面のパビリオン部を前記装飾本体の下部側面に収納したことをも特徴とするものである。
【００１０】
本考案の中折れ式イヤリングにおいて、前記一対の装飾本体の両者を閉鎖状に保持する閉鎖手段が、一方の装飾本体に取り付けた耳たぶへ挿通するためのピンに設けた切欠きと、他方の装飾本体端部に形成したピン挿通部に突設した係合突起とからなることをも特徴とするものである。
【考案の効果】
【００１１】
請求項１の考案は従来の中折れ式イヤリングの前記欠点を改良するものであって、中折れ式イヤリングの円弧状パーツの幅には制限を受けにくいために大きなサイズの宝石類を取り付けることができる。
さらに、一対の円弧状パーツを軸着位置を回転中心にして開閉しようとして円弧状パーツを持とうとする際に、直接宝石類には触れることがないので宝石類を汚したり、前記取付け手段から外れてしまうことがない。
【００１２】
請求項２の考案の中折れ式イヤリングにおいては、前記一対の装飾本体の双方ないしいずれか一方の外面の下部にキュレット部とクラウン部との２点で係合して装着した宝石が、その側面のパビリオン部を前記装飾本体の下部側面に収納する形態で前記装飾本体に取り付けてあり、より大きなサイズの宝石類を取り付けることができ、また宝石類の取付作業にも手間のかかることがない。
【００１３】
請求項３の考案の中折れ式イヤリングにおいては、装着される宝石が前記一対の装飾本体を構成する各装飾本体の外径の１／４以上の範囲において、その側面のパビリオン部を前記装飾本体の下部側面に収納したものであり、非常に外れにくく高品質の中折れ式イヤリングを提供することができる。
【００１４】
請求項４の考案の中折れ式イヤリングにおいては、前記一対の装飾本体の両者を閉鎖状に保持する閉鎖手段が、一方の装飾本体に取り付けた耳たぶへ挿通するためのピンに設けた切欠きと、他方の装飾本体端部に形成したピン挿通部に突設した係合突起とからなるものであり、ワンタッチで開閉の可能な中折れ式イヤリングを提供することができる。
【図面の簡単な説明】
【００１５】
【図１】この考案の中折れ式イヤリングの１実施例を示す概略側面図である。
【図２】その概略透視図である。
【図３】その概略正面図である。
【図４】その概略背面図である。
【図５】図３のＢ−Ｂ断面図である。
【図６】図１のＡ−Ａ断面図である。
【図７】一対の装飾本体を開いた状態の概略側面図である。
【図８】そのＢ−Ｂ断面図である。
【図９】この考案の中折れ式イヤリングの１実施例を示す概略斜視図である。
【図１０】その概略透視図である。
【考案を実施するための形態】
【００１６】
以下、この考案の中折れ式イヤリングの実施の形態を図面に基いてより詳しく説明する。
図１ないし図１０に示す実施例において、１１は図における右側の装飾本体であり、１２は図における左側の装飾本体であって、その全体形状はほぼ同じ円弧状で、組み付けた状態ではリング状をなすものである。また断面形状はほぼ四角としてあるが、円弧状のいわゆる甲丸であってもよい。なお素材としてはともに金（Ｋ−１８等）やプラチナ、銀等が使用可能である。
前記装飾本体１１の連結部分には一対の取付脚部１３，１４が一体に備えられ、これと対向して装飾本体１２の連結部分には前記取付脚部１３，１４間に嵌り合う取付基部１５が一体に形成されている。
【００１７】
そして、これらに開けられた貫通孔１６，１７に軸ピン１８を挿通し、この部位を加締めることにより、装飾本体１１と装飾本体１２とは開閉自在に軸着されている。
また、前記装飾本体１１と装飾本体１２のいずれか一方の先端には耳たぶへ挿通するためのピン２１が突設されている。
また本考案においては、前記装飾本体１１と装飾本体１２にはその両者を閉鎖状に保持する閉鎖手段が配設されている。本実施例においてこの閉鎖手段は、前記装飾本体１１に突設したピン２１の先端に設けた切欠き２２と、前記装飾本体１２の先端の受け口１２ａに設けた係合突起２３からなるものであり、両者を係合して前記装飾本体１１と装飾本体１２とを閉鎖状に保持するようになっている。
【００１８】
また、前記一対の装飾本体１１，１２の双方ないしいずれか一方の外面の下部には、ダイヤを含む宝石３１をそのキュレット部３２とクラウン部３３および＼またはテーブル部３４との２点で係合して装着してある。
前記キュレット部３２の係合手段は凹部を備えた台座３２ａであり、クラウン部３３および＼またはテーブル部３４の係合手段は爪状の突片３３ａとすることができる。
なお、そのテーブル面３４ａは中折れ式イヤリングの正面を向くようにセットしてある。
【００１９】
さらに、前記一対の装飾本体１１，１２の双方ないしいずれか一方の外面の下部にキュレット部３２とクラウン部３３および＼またはテーブル部３４との２点で係合して装着した宝石３１は、好ましくはその側面のパビリオン部３５を前記装飾本体１１の下部側面に設けた凹溝（図では１１ａ）にはめ込んで収納することにより前記装飾本体１１に取り付けてある。
こうすることによってより確実かつ強固に宝石３１を前記装飾本体１１に取り付けることができる。
【００２０】
本実施例の中折れ式イヤリングにおいて、前記一対の装飾本体１１，１２の双方ないしいずれか一方の外面の下部にキュレット部３２とクラウン部３３および＼またはテーブル部３４との２点で係合して装着した宝石３１は、前記一対の装飾本体１１，１２を構成する各装飾本体１１，１２の外径の１／４以上の範囲において、その側面のパビリオン部３５を前記装飾本体１１，１２の下部側面に収納しておくことが望ましい。
このように構成した本実施例の中折れ式イヤリングによれば、図７に示すように前記装飾本体１１，１２からなる一対の円弧状パーツを軸着位置を回転中心にして開閉（特に閉鎖）しようとして円弧状パーツを持とうとする際に、直接宝石３１には触れることがないので宝石３１を汚したり、また宝石３１に触れる必要がないために宝石３１が前記係合手段から外れてしまうことがない。
【００２１】
本実施例の中折れ式イヤリングにおいては、前記一対の装飾本体１１，１２の双方ないしいずれか一方の外面の下部にキュレット部３２とクラウン部３３および＼またはテーブル部３４との２点で係合して装着した宝石３１が、その側面のパビリオン部３５を前記装飾本体１１，１２のいずれかの下部側面に設けた凹溝に収納する形態で前記装飾本体１１，１２に取り付けてあり、より大きなサイズの宝石３１を取り付けることができ、また宝石類の取付作業にも手間のかかることがない。
【００２２】
また本実施例の中折れ式イヤリングにおいては、装着される宝石３１が前記一対の装飾本体１１，１２を構成する各装飾本体１１，１２の外径の１／４以上の範囲において、その側面のパビリオン部３５を前記装飾本体１１，１２の下部側面に設けた凹溝１１ａに収納したものであり、宝石３１が非常に外れにくく、しかも大きなサイズの宝石３１を取り付けた高品質の中折れ式イヤリングを提供することができる。
【産業上の利用可能性】
【００２３】
この考案の中折れ式イヤリングは、実施例では単純な円弧状パーツを用いて詳細に説明したがこれに限定されるものではなく、装飾性に富む種々の形態の中折れ式イヤリングにも適用可能であることはいうまでもない。
【符号の説明】
【００２４】
１１  装飾本体
１１ａ  凹溝
１２  装飾本体
１２ａ  受け口
１３，１４  取付脚部
１５  取付基部
１６，１７  貫通孔
１８  軸ピン
２１  ピン
２２  切欠き
２３  係合突起
３１  宝石
３２  キュレット部
３２ａ  台座
３３  クラウン部
３３ａ  突片
３４  テーブル部
３４ａ  テーブル面
３５  パビリオン部
【図１】
0003224737.tif 000003
【図２】
0003224737.tif 000004
【図３】
0003224737.tif 000005
【図４】
0003224737.tif 000006
【図５】
0003224737.tif 000007
【図６】
0003224737.tif 000008
【図７】
0003224737.tif 000009
【図８】
0003224737.tif 000010
【図９】
0003224737.tif 000011
【図１０】
0003224737.tif 000012